(57)【要約】【課題】補助筐体を用いて室温空気を吹き出す際に、適度に補助筐体の大きさを確保しつつ、サイドパネルの外側から冷媒配管を引き出す。【解決手段】熱交換器の両側でフレームに第１サイドパネル５３ａおよび第２サイドパネル５３ｂが取り付けられる。第１サイドパネル５３ａおよび第２サイドパネル５３ｂは熱交換器の両側でフレームに固定される壁体を有する。壁体に移動自在に補助筐体３５が取り付けられる。補助筐体３５は、設置時に壁面との間に空間１０９を形成するように熱交換器に対して相対的に前方に変位する。【選択図】図１０
2014163558.tif 000002
【特許請求の範囲】
【請求項１】
熱交換器と、
前記熱交換器に結合され前記熱交換器の一端から他端にわたって配置されるフレームと、
前記熱交換器の少なくとも片側で前記フレームに取り付けられ内部に送風機を有した補助筐体を移動自在に取り付けたサイドパネルと、
前記補助筐体は、設置時に壁面との間に空間を形成するように前方に配置し、
前記補助筐体の背後で前記空間に配置されて、前記熱交換器に接続される冷媒配管と
を備えることを特徴とする空気調和機。
【請求項２】
請求項１に記載の空気調和機において、前記サイドパネルは、前記フレームに固定される壁体を有し、前記壁体から連続して前記補助筐体の背後に広がって、前記空間の外壁を形成することを特徴とする空気調和機。
【請求項３】
請求項１または２に記載の空気調和機において、前記熱交換器に関連して配置されるクロスフローファンと、前記補助筐体に収容される遠心ファンとを備え、前記遠心ファンの回転軸は、前記クロスフローファンの回転軸を含む垂直仮想平面よりも前方に配置されることを特徴とする空気調和機。
【発明の詳細な説明】
【技術分野】
【０００１】
本発明は空気調和機に関する。
【背景技術】
【０００２】
空気調和機は室内機の吹出口から熱交換器により熱交換された冷気または暖気を吹き出す。特許文献１に記載の空気調和機では吹出口の両側に隣接して補助吹出口が形成される。補助吹出口は筐体の正面で開口する。吸込口には集塵フィルタが設置される。集塵フィルタの空気抵抗が高くても、遠心ファンは吸込口から十分な風量の空気を吸引することができる。集塵フィルタを通過した気流は補助吹出口から吹き出される。
【先行技術文献】
【特許文献】
【０００３】
【特許文献１】特開２０１０−１６４２７１号公報
【特許文献２】特開２０００−２９７７９２号公報
【発明の概要】
【発明が解決しようとする課題】
【０００４】
例えば特許文献１では遠心ファンは筐体内に組み込まれる。クロスフローファンの回転軸と遠心ファンの回転軸とは同軸で相互に連結される。したがって、遠心ファンの配置は制約される。しかも、筐体内で他の部品との衝突が考慮されることから、遠心ファンの大きさも制約を受けてしまう。特に、筐体のサイドパネルから冷媒の接続配管を引き出そうとすれば、遠心ファンの小型化は避けられない。従来技術では、サイドパネルの外側に補助筐体を取り付け、補助筐体の動作に応じて室温空気を循環させるといった発想は見受けられない。
【０００５】
本発明のいくつかの態様によれば、補助筐体を用いて室温空気を吹き出す際に、適度に補助筐体の大きさを確保しつつ、サイドパネルの外側から冷媒配管を引き出すことができる空気調和機は提供されることができる。
【課題を解決するための手段】
【０００６】
本発明の一実施形態は、熱交換器と、前記熱交換器に結合され前記熱交換器の一端から他端にわたって配置されるフレームと、前記熱交換器の少なくとも片側で前記フレームに取り付けられ内部に送風機を有した補助筐体を移動自在に取り付けたサイドパネルと、前記補助筐体は、設置時に壁面との間に空間を形成するように前方に配置し、前記補助筐体の背後で前記空間に配置されて、前記熱交換器に接続される冷媒配管とを備える空気調和機に関する。
【０００７】
こうした空気調和機では熱交換器の働きで冷気または暖気の気流が生成される。補助吹出口から室温空気の気流が吹き出される。補助吹出口から吹き出された室温空気の気流と、熱交換器で生成された冷気または暖気の気流とは温度差を有する。温度に応じて空気の比重は変化することから、比重の違いに応じて室温空気の気流は冷気や暖気の気流の向きや動きを制御することができる。冷気や暖気を室内で望まれる場所に送り込むことができる。こうして室内の温度環境を効率的に整えることができる。
【０００８】
空気調和機が壁面に据え付けられる際に補助筐体は壁面から離れる方向に変位して配置される。熱交換器が壁面に接近して据え付けられても、冷媒配管は補助筐体の背後を通過して壁面に沿って空気調和機の片側から引き出されることができる。しかも、補助筐体はサイドパネルの外側に配置されることから、背後に空間を確保しつつも補助筐体には十分な大きさが確保されることができる。補助筐体の大きさは室温空気の気流の増量に寄与することができる。
【０００９】
熱交換器と壁面との距離が短縮されれば短縮されるほど、熱交換器の重量によって生じ壁面に作用するモーメントは縮小されることができる。その結果、据え付け構造の剛性はできる限り抑制されることができる。これに対して、補助筐体が熱交換器に対して前方に変位していない場合には、熱交換器が壁面に接近して据え付けられると、補助筐体の背後に十分な大きさの空間が確保されることができない。空気調和機の下面から冷媒配管を引き出さなければならない。据え付け後の見栄えは悪化してしまう。それでも空気調和機の片側から冷媒配管を引き出そうとすれば、熱交換器は壁面から離れてしまう。熱交換器の重量によって生じ壁面に作用するモーメントは増大してしまう。
【００１０】
前記サイドパネルは、前記フレームに固定される壁体を有し、前記壁体から連続して前記補助筐体の背後に広がって、前記空間の外壁を形成することができる。こうして補助筐体の背後の空間と熱交換器の背後の空間とは連続する。これらを仕切る壁は省略されることができる。冷媒配管はサイドパネルの外側に引き出されることができる。冷媒配管の引き出し作業の複雑化は回避されることができる。
【００１１】
空気調和機は、前記熱交換器に関連して配置されるクロスフローファンと、前記補助筐体に収容される遠心ファンとを備えることができる。このとき、前記遠心ファンの回転軸は、前記クロスフローファンの回転軸を含む垂直仮想平面よりも前方に配置されればよい。こうして回転軸がずらされると、補助筐体の変位は簡単に実現されることができる。すなわち、背後に空間を確保しつつも遠心ファンには十分な大きさが確保されることができる。したがって、冷媒配管は確実に補助筐体の背後を通過して壁面に沿って空気調和機の片側から引き出されることができる。
【００１２】
空気調和機は、前記フレームに取り付けられて空気調和機の外観を構成するフロントパネルをさらに備えることができる。このとき、前記補助筐体の前端は前記フロントパネルの面に合わせ込まれればよい。補助筐体は熱交換器に対して相対的に前方に変位するものの、良好な見栄えは確保されることができる。
【００１３】
空気調和機では前記サイドパネルは前記熱交換器の両側で前記フレームに取り付けられることができる。冷媒配管は左右どちら側からも引き出されることができる。その結果、空気調和機の据え付け場所の自由度は広がる。
【発明の効果】
【００１４】
以上のように開示の空気調和機によれば、補助筐体を用いて室温空気を吹き出す際に、適度に補助筐体の大きさを確保しつつ、サイドパネルの外側から冷媒配管を引き出すことができる
【図面の簡単な説明】
【００１５】
【図１】本発明の一実施形態に係る空気調和機の構成を概略的に示す概念図である。
【図２】一実施形態に係る室内機の外観を概略的に示す斜視図である。
【図３】構造体の構成を概略的に示す斜視図である。
【図４】第１送風ファンの構成を概略的に示す室内機の垂直断面図である。
【図５】第１サイドパネルおよび第２サイドパネルの構造を概略的に示す斜視図である。
【図６】ファンユニットの分解斜視図である。
【図７】ラックおよび駆動ギアを概略的に示す送風路ユニットの斜視図である。
【図８】風向板の駆動ユニットの構成を概略的に示す斜視図である。
【図９】主本体の主要部品を概略的に示す分解斜視図である。
【図１０】室内機の背面を概略的に示す斜視図である。
【図１１】斜め後方から観察される第１サイドパネルの斜視図である。
【図１２】第１サイドパネルの内側を概略的に示す平面図である。
【図１３】第２サイドパネルの内側を概略的に示す平面図である。
【図１４】冷房運転時に気流の一具体例を示す概念図である。
【図１５】暖房運転時に気流の一具体例を示す概念図である。
【発明を実施するための形態】
【００１６】
以下、添付図面を参照しつつ本発明の一実施形態を説明する。
【００１７】
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する環境空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１８】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。第１循環経路２１は例えば銅管などの冷媒配管で形成される。
【００１９】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換を実現する。室内熱交換器１４は、通過する冷媒と周囲の空気との間で熱エネルギーの交換を実現する。第２循環経路２２は例えば銅管などの冷媒配管で形成されればよい。
【００２０】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の毎分回転数に応じて調整される。気流の流量に応じて室外熱交換器１６では冷媒と空気との間で交換される熱エネルギー量が調整される。
【００２１】
室内機１２は本体ユニット２５および１対のファンユニット２６を備える。本体ユニット２５には室内熱交換器１４および第１送風ファン２７が組み込まれる。第１送風ファン２７は室内熱交換器１４に通風する。第１送風ファン２７は羽根車の回転に応じて気流を生成する。第１送風ファン２７の働きで本体ユニット２５には室内空気が吸い込まれる。室内空気は室内熱交換器１４を通り抜け冷媒と熱交換する。熱交換された冷気または暖気の気流は本体ユニット２５から吹き出される。通り抜ける気流の流量は羽根車の毎分回転数に応じて調整される。気流の流量に応じて室内熱交換器１４では冷媒と空気との間で交換される熱エネルギー量を調整することができる。ファンユニット２６は室内空気を吸い込んで当該室内空気を吹き出す。ファンユニット２６では熱交換されずに室内空気は室温のまま吹き出される。
【００２２】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は第１送風ファン２７の働きで室内空間に流される。
【００２３】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換機１４では冷媒から周囲の空気に放熱する。暖気が生成される。暖気は第１送風ファン２７の働きで室内空間に流される。膨張弁１７で冷媒は低圧まで減圧される。減圧された冷媒は室外熱交換器１６で周囲の空気から吸熱する。その後、冷媒は圧縮機１５に戻る。
【００２４】
図２は一実施形態に係る室内機１２の外観を概略的に示す。室内機１２の本体ユニット２５は構造体２８を備える。構造体２８にはアウターパネル２９が覆い被さる。構造体２８の下面には第１吹出口３１が形成される。第１吹出口３１は下向きに開口する。構造体２８は例えば室内の壁面に固定されることができる。第１吹出口３１は、設置時に水平方向となる向きに延びて設けられており、室内熱交換器１４で生成される冷気または暖気の気流を吹き出す。
【００２５】
第１吹出口３１には前後１対の上下風向板３２ａ、３２ｂが配置される。上下風向板３２ａ、３２ｂはそれぞれ水平軸線３３ａ、３３ｂ回りに回転することができる。本実施形態では上下風向板３２ａ、３２ｂの後端が回動軸となるものの、これに限られるものではない。回転に応じて上下風向板３２ａ、３２ｂは第１吹出口３１を開閉することができる。
【００２６】
図３に示されるように、構造体２８には第１吸込口３４が形成される。第１吸込口３４は構造体２８の正面および上面で開口する。アウターパネル２９は構造体２８の正面で第１吸込口３４に覆い被さることができる。第１吸込口３４は室内熱交換器１４に向かって室内の空気を導入する。
【００２７】
水平方向に延びる第１吸込口３４および第１吹出口３１の両側には個別にファンユニット２６が取り付けられる。ファンユニット２６は構造体２８の外壁面の外側に配置される。ファンユニット２６はそれぞれ補助筐体すなわちファン筐体３５に収容される。ファン筐体３５は構造体２８に対して移動自在に構造体２８の外壁面に支持される。ここでは、ファン筐体３５は、構造体２８の外壁面に交差する回転軸回りで回転することができる。本実施形態ではファン筐体３５の回転軸は水平軸線３６に重なる。水平軸線３３ａ、３３ｂ、３６は相互に平行に延びる。構造体２８の外壁面は相互に平行に広がる。したがって、構造体２８の両端に設けられた外壁面は水平軸線３３ａ、３３ｂ、３６に直交する。
【００２８】
ファン筐体３５には第２吸込口３７が形成される。第２吸込口３７は、構造体２８の外壁面の垂直方向から室内空気を取り込む。第２吸込口３７は吸込口カバー３８で覆われる。吸込口カバー３８はファン筐体３５に取り付けられる。吸込口カバー３８の輪郭は水平軸線３６に同軸の仮想円筒面３９の内側で当該仮想円筒面３９に沿って区画される。すなわち、吸込口カバー３８は円形の輪郭を有する。吸込口カバー３８には複数の開口４１が形成される。開口４１は第２吸込口３７の内外の空間を相互に接続する。
【００２９】
ファン筐体３５には第２吹出口４２が形成される。第２吹出口４２は、第２吸込口３７からファン筐体３５に取り込まれた室内空気を吹き出す。第２吹出口４２から気流は外壁面に沿った方向に吹き出す。ファン筐体３５が水平軸線３６回りで回転運動すると、第２吹出口４２は重力方向に上下に変位することができる。第２吹出口４２から吹き出される気流の向きは変更されることができる。ここでは、重力方向に第２吹出口４２を下降させるファン筐体３５の回転の向きに従って順方向側を「下流」といい、逆方向側を「上流」という。第２吹出口４２には風向板４３（以下「ファンユニット風向板４３」という）が取り付けられる。ファンユニット風向板４３は、第２吹出口４２から吹き出される気流の向きを水平方向に偏向させることができる。２つの第２吹出口４２の総開口面積は第１吹出口３１の開口面積よりも小さい。
【００３０】
なお、ファン筐体３５の姿勢を変化させる構造はこれに限られるものではない。例えば、第２吹出口４２に上下方向に風向を変更する風向板を設け、構造体２８の外壁面でファン筐体３５の背面側で垂直方向に延びる軸回りにファン筐体３５を揺動自在に支持し、水平方向に第２吹出口４２の向きを変えるようにしてもよい。また、第２吹出口４２に左右方向に風向を変更する風向板を設け、構造体２８の外壁面に設けたガイドレールによってファン筐体３５を上下に移動するようにしてもよい。
【００３１】
構造体２８は補助構造体４４を備える。補助構造体４４はファン筐体３５の周囲で外壁面に形成される。補助構造体４４は外壁面からファン筐体３５よりも外側に突き出る。補助構造体４４の縁は前述の仮想円筒面３９の外側で吸込口カバー３８に沿って仕切られる。
【００３２】
図４に示されるように、構造体２８には第１送風ファン２７が回転自在に支持される。第１送風ファン２７には例えばクロスフローファンが用いられることができる。第１送風ファン２７は水平軸線３６に平行な回転軸４５回りで回転することができる。第１送風ファン２７の回転軸４５は設置時に水平方向に延びる。こうして第１送風ファン２７は第１吹出口３１に平行に配置される。第１送風ファン２７の周囲には室内熱交換器１４が配置される。
【００３３】
構造体２８には第１送風ファン駆動源４６が固定される。第１送風ファン駆動源４６には例えば電動モータが用いられることができる。第１送風ファン駆動源４６の駆動軸はその軸心回りで回転する。駆動軸は第１送風ファン２７の回転軸４５に同軸に配置されることができる。第１送風ファン駆動源４６の駆動軸は第１送風ファン２７の回転軸に結合されることができる。こうして第１送風ファン駆動源４６の駆動力は第１送風ファン２７に伝達される。第１送風ファン駆動源４６は第１送風ファン２７を駆動する。第１送風ファン２７の回転に応じて気流は室内熱交換器１４を通過する。その結果、冷気または暖気の気流が生成される。冷気または暖気の気流は第１吹出口３１から吹き出される。
【００３４】
図５に示されるように、構造体２８は主本体５１、フロントパネル５２並びに第１サイドパネル５３ａおよび第２サイドパネル５３ｂを備える。主本体５１に第１吹出口３１が形成される。第１吹出口３１の両側で主本体５１に第１サイドパネル５３ａおよび第２サイドパネル５３ｂが取り付けられる。第１サイドパネル５３ａおよび第２サイドパネル５３ｂは構造体２８の外殻を構成する。第１サイドパネル５３ａと第２サイドパネル５３ｂは、左右対称の同様の部品で構成されているため、以下、同様の部品については符号を統一して説明する。第１サイドパネル５３ａおよび第２サイドパネル５３ｂはそれぞれ壁体５４を有する。それぞれの壁体５４は主本体５１の両側で互いに平行となるように設けられている。壁体５４の外壁面５４ａは構造体２８の外壁面に相当する。ここでは、外壁面５４ａは水平軸線３６に直交すればよい。壁体５４は第１吹出口３１の両側で第１吹出口３１に対して不動に固定される。第１サイドパネル５３ａおよび第２サイドパネル５３ｂにそれぞれ補助構造体４４が一体化される。こうした部材は硬質の樹脂材料から一体成型に基づき形成されることができる。同様に、第２サイドパネル５３ｂおよび補助構造体４４は１部材を構成することができる。本実施形態では第１サイドパネル５３ａおよび補助構造体４４や第２サイドパネル５３ｂおよび補助構造体４４は１部材で構成されるものの、それらは別部材で構成されてもよい。
【００３５】
第１サイドパネル５３ａおよび第２サイドパネル５３ｂの構造体２８への取り付けにあたってねじ５５が用いられる。ねじ５５は第１サイドパネル５３ａおよび第２サイドパネル５３ｂを貫通して主本体５１にねじ込まれる。ねじ５５のねじ込みにあたって仮想平面５６が規定される。仮想平面５６は第１サイドパネル５３ａおよび第２サイドパネル５３ｂを相互に接続するように形成される。ねじ５５の軸心は仮想平面５６に直交する。仮想平面５６は構造体２８の正面を向く。ここでは、仮想平面５６は、水平軸線３６に平行で、かつ、室内機１２の設置時に室内の壁面に対して平行であって、第１サイドパネル５３ａおよび第２サイドパネル５３ｂの前面側に位置する。仮想平面５６は第１送風ファン２７の回転軸４５に平行に広がる。
【００３６】
主本体５１はねじ用のボス５７を有する。第１サイドパネル５３ａおよび第２サイドパネル５３ｂはねじ挿入片５８を有する。ねじ挿入片５８は少なくとも一部に例えば均一な板厚を有する板片を有する。ねじ挿入片５８の板片はボス５７に重ねられる。ねじ５５はねじ挿入片５８を貫通してボス５７にねじ込まれる。
【００３７】
主本体５１の前面には第１電装品ユニット６１および第２電装品ユニット６２が取り付けられる。第１電装品ユニット６１には第１制御基板が収容される。第２電装品ユニット６２には第２制御基板が収容される。主本体５１にフロントパネル５２が固定されると、第１電装品ユニット６１および第２電装品ユニット６２はフロントパネル５２で覆われる。
【００３８】
図６に示されるように、個々のファンユニット２６は第１化粧筐体７１ａおよび第２化粧筐体７１ｂを備える。ファン筐体３５は第１化粧筐体７１ａおよび第２化粧筐体７１ｂで構成される。第１化粧筐体７１ａおよび第２化粧筐体７１ｂが相互に結合されることで、第２吹出口４２が形成される。第１化粧筐体７１ａには第２吸込口３７が区画される。第１化粧筐体７１ａおよび第２化粧筐体７１ｂで区画される内部空間には送風路ユニット７２、第２送風ファンとしての遠心ファン７３、取り付け板７４、第２送風ファン駆動源７５および保護部材７６が収容される。
【００３９】
ファンユニット２６は送風路ユニット７２を備える。送風路ユニット７２は第１部材７２ａおよび第２部材７２ｂで構成される。送風路ユニット７２の第１部材７２ａは第２化粧筐体７１ｂに結合される。こうして送風路ユニット７２はファン筐体３５に一体化される。送風路ユニット７２の第１部材７２ａには円筒部７７が形成される。円筒部７７は内面に水平軸線３６に同軸の円筒面７７ａを形成する。送風路ユニット７２は、第２吸込口３７に通じる開口７８と、第２吹出口４２まで延びる送風路７９とを形成する。
【００４０】
ファンユニット２６は遠心ファン７３を備える。遠心ファン７３は送風路ユニット７２内に収容される。遠心ファン７３には例えばシロッコファンが用いられることができる。遠心ファン７３の回転軸は壁体５４の外壁面５４ａに交差する。ここでは、遠心ファン７３の回転軸は外壁面５４ａに直交する。遠心ファン７３の回転軸は水平軸線３６に重なることができる。遠心ファン７３が回転すると、遠心ファン７３の回転軸に沿って開口７８から室内空気は取り込まれる。遠心ファン７３は全周にわたって遠心方向に室内空気を押し出す。こうして押し出された室内空気は送風路７９を伝って第２吹出口４２から吹き出す。
【００４１】
ファンユニット２６は取り付け板７４を備える。取り付け板７４は、後述されるように、送風路ユニット７２の第１部材７２ａに連結される。第１化粧筐体７１ａ、第２化粧筐体７１ｂおよび取り付け板７４でファンユニット２６の外観は構成される。取り付け板７４は壁体５４の外壁面５４ａに重ねられる。取り付け板７４は壁体５４にねじ止めされる。ねじ８１は壁体５４の内壁面（外壁面の裏側）から壁体５４を貫通して取り付け板７４にねじ込まれる。個々のねじ８１は水平軸線３６に平行な軸心を有することができる。こうしてファンユニット２６は第１サイドパネル５３ａおよび第２サイドパネル５３ｂにそれぞれ固定される。
【００４２】
ファンユニット２６は第２送風ファン駆動源７５を備える。第２送風ファン駆動源７５は取り付け板７４に支持される。取り付け板７４は壁体５４の外壁面５４ａに重ねられることから、第２送風ファン駆動源７５は第１吹出口３１の両側で壁体５４の外壁面５４ａに固定される。第２送風ファン駆動源７５は例えば電動モータで構成されることができる。第２送風ファン駆動源７５の駆動軸８２に遠心ファン７３が固定される。
【００４３】
ファンユニット２６は保護部材７６を備える。保護部材７６は取り付け板７４に固定される。保護部材７６はいわゆるドーム形に形成されることができる。保護部材７６は第２送風ファン駆動源７５に覆い被さる。第２送風ファン駆動源７５の駆動軸８２は保護部材７６を貫通して、第２送風ファン駆動源７５が取り付けられる側から保護部材７６の遠心ファン７３が取り付けられる側に突き出る。保護部材７６の外側で第２ファン駆動源７５の駆動軸８２には遠心ファン７３が装着される。保護部材７６は円筒部７７の開口を塞ぐ。
【００４４】
ファンユニット２６は複数のローラー８３を備える。ローラー８３は水平軸線３６から等距離に配置される。ローラー８３は円柱体を有する。円柱体は保護部材７６に回転自在に支持される。円柱体の軸心は水平軸線３６に平行に延びる。ローラー８３は円柱体の軸心回りで回転することができる。円柱体は例えばＰＯＭ（ポリアセタール樹脂）とった樹脂材料から形成されることができる。円柱体は送風路ユニット７２の円筒面７７ａに内接する。こうして送風路ユニット７２はローラー８３群を介して水平軸線３６回りで回転自在に保護部材７６に連結される。
【００４５】
図７に示されるように、送風路ユニット７２の円筒部７７にはラック８４が形成される。ラック８４は水平軸線３６に沿った方向にローラー８３からずれた位置で円筒面７７ａ上に配置されて水平軸線３６に同心に延びる。ラック８４には駆動ギア８５が噛み合う。駆動ギア８５の回転軸は水平軸線３６に平行に設定される。駆動ギア８５の回転に応じて水平軸線３６回りで円筒部７７が保護部材７６に対して回転することができる。すなわち、送風路ユニット７２は回転することができる。ラック８４および駆動ギア８５は動力伝達手段を構成する。
【００４６】
取り付け板７４にはファン筐体駆動源８６が取り付けられる。ファン筐体駆動源８６は例えば電動モータで構成されることができる。ファン筐体駆動源８６の駆動軸は駆動ギア８５に連結される。駆動軸の軸心は駆動ギア８５の回転軸に重なる。こうして駆動ギア８５の回転はファン筐体駆動源８６の動力に基づき引き起こされる。ファン筐体駆動源８６はファン筐体３５の回転を引き起こす駆動力を生成する。前述のように取り付け板７４が壁体５４の外壁面５４ａに重ねられると、ファン筐体駆動源８６は壁体５４を貫通して壁体５４の内側に配置される。こうしてファン筐体駆動源８６は壁体の内壁面に固定される。その他、ファン筐体駆動源８６は壁体５４の内壁面にねじ止めされてもよい。この場合には、ファン筐体駆動源８６の駆動軸が壁体５４を貫通すればよい。ファン筐体駆動源８６の固定にあたって用いられるねじは壁体５４の内壁面（外壁面の裏側）から壁体５４を貫通して取り付け板７４にねじ込まれてもよい。こうした共締めに応じて取り付け板７４はより強固に固定されることができる。
【００４７】
図８に示されるように、ファンユニット２６はファンユニット風向板４３の駆動ユニット８７を備える。ファンユニット風向板４３は送風路ユニット７２の第１部材７２ａに固定される回転軸８８回りで姿勢を変化させることができる。回転軸８８は、水平軸線３６に直交する仮想平面内であって水平軸線３６に同心の仮想円に接する接線に重なる。駆動ユニット８７はファン筐体３５に収容されて送風路７９の上側で送風路ユニット７２に固定される。
【００４８】
駆動ユニット８７はリンク部材８９を備える。リンク部材８９はファンユニット風向板４３に連結される。連結にあたって送風路ユニット７２にはリンクケース９１が固定される。リンクケース９１はファンユニット風向板４３の回転軸８８回りで回転自在にファンユニット風向板４３の上端を保持する。ファンユニット風向板４３の上端にはファンユニット風向板４３の回転軸８８から偏心してファンユニット風向板４３の回転軸８８に平行に延びる偏心軸９２が接続される。リンクケース９１には偏心軸９２の案内路９３が形成される。偏心軸９２の案内路９３はファンユニット風向板４３の回転時にファンユニット風向板４３の回転軸８８に同心の円弧に沿って偏心軸９２の移動を案内する。
【００４９】
駆動ユニット８７は左右風向板駆動源９４を備える。左右風向板駆動源９４は例えば電動モータで構成されることができる。左右風向板駆動源９４は送風路ユニット７２に固定される。左右風向板駆動源９４はファンユニット風向板４３の回転軸８８に平行に延びる駆動軸９４ａを有する。駆動軸９４ａの上端は回転自在にリンクケース９１で保持される。駆動軸９４ａの上端には駆動軸９４ａの軸心９５から偏心して駆動軸９４ａの軸心９５に平行に延びる偏心軸９６が接続される。リンクケース９１には偏心軸９６の案内路９７が形成される。偏心軸９６の案内路９７は駆動軸９４ａの軸心９５に同心の円弧に沿って偏心軸９６の移動を案内する。
【００５０】
リンク部材８９は回転自在に偏心軸９２、９６を保持する。左右風向板駆動源９４の回転に応じて偏心軸９６が案内路９７内で移動すると、偏心軸９６の移動はリンク部材８９の移動を引き起こす。移動にあたってリンク部材８９はその姿勢を維持する。偏心軸９６の動きは同一の経路に沿って偏心軸９２の動きを生み出す。こうしてファンユニット風向板４３の姿勢は同期で変化することができる。駆動ユニット８７はファンユニット風向板４３の姿勢変化を引き起こす駆動力を生成する。
【００５１】
図９に示されるように、主本体５１は熱交換器ユニット１０１を備える。熱交換器ユニット１０１は室内熱交換器１４および熱交換器ホルダ１０２で構成される。室内熱交換器１４の水平方向両端に１対の熱交換器ホルダ１０２が結合される。熱交換器ホルダ１０２は例えば樹脂成型によって形成される。熱交換器ホルダ１０２は例えば壁面に固定される据え付け板に連結される。こうして室内熱交換器１４は設置時に例えば室内の壁面に連結される。熱交換器ホルダ１０２同士は樹脂製の連結板１０３で相互に接続されることができる。
【００５２】
主本体５１はメインフレーム１０４を備える。メインフレーム１０４は熱交換器ユニット１０１の一端から他端にわたって配置されており、メインフレーム１０４は室内熱交換器１４に結合される。結合にあたってメインフレーム１０４は熱交換器ホルダ１０２に固定される。熱交換器ホルダ１０２は、比較的に大きい重量を有する室内熱交換器１４を支持することから、比較的に高い剛性の構造を有する。ボス５７はメインフレーム１０４に例えば樹脂の一体成型によって形成される。ボス５７には仮想平面５６に平行に広がる（または仮想平面５６に接する）受け面１０５が形成される。この受け面１０５に第１サイドパネル５３ａまたは第２サイドパネル５３ｂのねじ挿入片５８の板片が重ねられる。こうして室内熱交換器１４に対して第１サイドパネル５３ａおよび第２サイドパネル５３ｂの相対位置（および相対的な姿勢）は決定されることができる。受け面１０５にはねじ穴が穿たれる。ねじ穴にねじ５５はねじ込まれる。こうして第１サイドパネル５３ａおよび第２サイドパネル５３ｂはメインフレーム１０４に取り付けられる。
【００５３】
なお、本実施形態では第１サイドパネル５３ａおよび第２サイドパネル５３ｂはメインフレーム１０４に取り付けられているが、例えば、熱交換器ホルダ１０２に取り付けられる構造であっても、製造ラインの作業の簡素化という効果を実現できる。
【００５４】
主本体５１は吹出口フレーム１０７を備える。吹出口フレーム１０７は室内熱交換器１４に結合される。結合にあたって吹出口フレーム１０７は熱交換器ホルダ１０２に固定される。こうして吹出口フレーム１０７の固定は安定化する。吹出口フレーム１０７に第１吹出口３１が形成される。第１送風ファン２７や第１送風ファン駆動源４６は吹出口フレーム１０７に支持される。
【００５５】
第１電装品ユニット６１および第２電装品ユニット６２はそれぞれメインフレーム１０４に支持される。第１電装品ユニット６１内の第１制御基板および第２電装品ユニット６２内の第２制御基板には、第１送風ファン駆動源４６の電源および制御回路、第２送風ファン駆動源７５の電源および制御回路、ファン筐体駆動源８６の電源および制御回路、左右風向板駆動源９４の電源および制御回路、その他の電気部品が接続される。接続は第１制御基板および第２制御基板に適宜に振り分けられる。接続にあたって例えば配線が用いられることができる。
【００５６】
図１０に示されるように、室内熱交換器１４には冷媒配管１０８が接続される。冷媒配管１０８は室内熱交換器１４の片側から引き出されて室内熱交換器１４の背後に収容される。ここでは、冷媒配管１０８は室内熱交換器１４から延びて第１サイドパネル５３ａのファン筐体３５を迂回しつつ室内熱交換器１４の背後に至る。このとき、第１サイドパネル５３ａおよび第２サイドパネル５３ｂにはファン筐体３５の背後に空間１０９が区画される。第１サイドパネル５３ａおよび第２サイドパネル５３ｂは空間１０９の外壁１１１を形成する。外壁１１１は室内機１２の側壁を提供する。ファン筐体３５の背後の空間１０９と室内熱交換器１４の背後の空間１１２とは連続する。外壁１１１は、室内機１２が室内の壁面に据え付けられた際に壁面に沿って第１サイドパネル５３ａおよび第２サイドパネル５３ｂの後端を形成する縁１１１ａを形成する。外壁１１１の縁１１１ａには、冷媒配管１０８を引き出す際に切り欠かれる切り欠き予定域１１３が形成される。室内機１２の背後で壁面内に配管構造が形成されずに冷媒配管１０８が室内機１２の片側から壁面に沿って引き出される場合には、切り欠き予定域１１３が切り欠かれて、冷媒配管１０８は形成された切り欠きを通過する。
【００５７】
図１１に示されるように、第１サイドパネル５３ａはファン筐体３５の背後でファン筐体３５の外周を覆う周壁１１４を備える。周壁１１４は壁体５４から外側に向かって立ち上がる。周壁１１４の外端には外壁１１１が接続される。外壁１１１は周壁１１４の外端から後方に広がる。外壁１１１を含む仮想平面は壁体５４の外壁面５４ａ（または内壁面５４ｂ）を含む仮想平面に平行に広がる。こうして外壁１１１は壁体５４から連続してファン筐体３５の背後に広がる。室内機１２が室内の壁面に据え付けられると、周壁１１４と壁面との間に空間１０９が形成される。
【００５８】
図１２に示されるように、第１サイドパネル５３ａの周壁１１４はファン筐体３５の輪郭に沿って外周を覆う。すなわち、ファン筐体３５は、設置時に壁面との間に空間１０９を形成するように前方に変位する。室内機１２が室内の壁面に据え付けられる際にファン筐体３５は壁面から離れる方向に変位して配置される。ファン筐体３５の変位に応じて周壁１１４と外壁１１１の縁１１１ａとの間に確実に切り欠き予定域１１３は収まることができる。したがって、室内熱交換器１４が壁面に接近して据え付けられても、冷媒配管１０８はファン筐体３５の背後を通過して室内の壁面に沿って室内機１２の片側から引き出されることができる。しかも、ファン筐体３５は第１サイドパネル５３ａの外側に配置されることから、背後に空間１０９を確保しつつもファン筐体３５には十分な大きさが確保されることができる。ファン筐体３５の大きさは室温空気の気流の増量に寄与することができる。
【００５９】
図１３に示されるように、第２サイドパネル５３ｂの周壁１１４はファン筐体３５の輪郭に沿って外周を覆う。すなわち、ファン筐体３５は、設置時に壁面との間に空間１０９を形成するように前方に変位する。室内機１２が室内の壁面に据え付けられる際にファン筐体３５は壁面から離れる方向に変位して配置される。ファン筐体３５の変位に応じて周壁１１４と外壁１１１の縁１１１ａとの間に確実に切り欠き予定域１１３は収まることができる。したがって、室内熱交換器１４が壁面に接近して据え付けられても、冷媒配管１０８はファン筐体３５の背後を通過して室内の壁面に沿って室内機１２の片側から引き出されることができる。しかも、ファン筐体３５は第２サイドパネル５３ｂの外側に配置されることから、背後に空間１０９を確保しつつもファン筐体３５には十分な大きさが確保されることができる。ファン筐体３５の大きさは室温空気の気流の増量に寄与することができる。
【００６０】
室内熱交換器１４と壁面との距離が短縮されれば短縮されるほど、室内熱交換器１４の重量によって生じ壁面に作用するモーメントは縮小されることができる。その結果、熱交換器ホルダ１０２を含む据え付け構造の剛性はできる限り抑制されることができる。これに対して、ファン筐体３５が室内熱交換器１４に対して前方に変位していない場合には、室内熱交換器１４が壁面に接近して据え付けられると、ファン筐体３５の背後に十分な大きさの空間が確保されることができない。室内機１２の下面から冷媒配管１０８を引き出さなければならない。据え付け後の見栄えは悪化してしまう。それでも室内機１２の片側から冷媒配管１０８を引き出そうとすれば、室内熱交換器１４は壁面から離れてしまう。室内熱交換器１４の重量によって生じ壁面に作用するモーメントは増大してしまう。
【００６１】
次に空気調和機１１の動作を説明する。例えば冷房運転が設定されると、四方弁１８は第２口１８ｂおよび第３口１８ｃを相互に接続し第１口１８ａおよび第４口１８ｄを相互に接続する。圧縮機１５の動作に応じて冷媒が冷凍回路１９を循環する。その結果、室内熱交換機１４で冷気が生成される。冷気の温度は少なくとも室内空気の温度よりも低い。室温センサで検出される室温に応じて圧縮機１５の動作は制御される。その他、例えば人感センサで在室者の不存在が所定の期間にわたって検出されると、圧縮機１５は停止されてもよい。
【００６２】
第１送風ファン２７が回転すると、例えば図１４に示されるように、冷気の気流１２１が第１吹出口３１から吹き出る。このとき、上下風向板３２ａ、３２ｂの姿勢は適宜に制御される。上下風向板３２ａ、３２ｂの向きに応じて気流１２１の吹き出しは制御されることができる。ここでは、上下風向板３２ａ、３２ｂが床面に対してほぼ平行な姿勢に保持されることで、第１吹出口３１から水平方向に冷気の気流１２１が吹き出すように上下風向板３２ａ、３２ｂは制御される。
【００６３】
遠心ファン７３が回転すると、ファンユニット２６ではファン筐体３５内の空間に第２吸込口３７から室内空気が吸い込まれる。室内空気（以下「室温空気」という）の温度は室温に等しい。吸い込まれた室温空気の気流はファンユニット２６の第２吹出口４２から吹き出す。このとき、ファン筐体３５の姿勢は水平軸線３６回りで適宜に制御される。例えば図１４に示されるように、ファン筐体３５の姿勢は水平姿勢から前下がり（下流方向）に変化することができる。ファン筐体３５は水平方向よりも下向きに第２吹出口４２からの気流１２２の吹き出しを誘導することができる。室温空気の気流１２２は第２吹出口４２から下向きに吹き出す。
【００６４】
一般に、室内機１２は室内で比較的に高い位置に設置される。冷気の気流１２１が水平方向に誘導されれば、冷気は高い位置から床面に向かって下降していく。室内では徐々に冷気が蓄積されていく。このとき、ファンユニット２６は在室者Ｍに直接に室温空気の気流１２２を向けることができる。ファンユニット２６は冷房運転時にいわゆる扇風機の代わりとして機能することができる。室温空気の気流１２２には冷気の混入は防止されることができ、その結果、在室者Ｍは心地よい涼感を得ることができる。在室者Ｍは、室内の温度低下に基づく涼感に加え、気流１２２により生じる気化熱に基づく涼感を得ることができる。
【００６５】
例えば暖房運転が設定されると、四方弁１８は第２口１８ｂおよび第４口１８ｄを相互に接続し第１口１８ａおよび第３口１８ｃを相互に接続する。圧縮機１５の動作に応じて冷媒が冷凍回路１９を循環する。その結果、室内熱交換機１４で暖気が生成される。暖気の温度は少なくとも室内空気の温度よりも高い。室温センサで検出される室温に応じて圧縮機１５の動作は制御される。例えば人感センサで在室者の不存在が所定の期間にわたって検出されると、圧縮機１５は停止されてもよい。
【００６６】
図１５に示されるように、暖房運転では第１送風ファン２７の回転に応じて暖気の気流１２３が第１吹出口３１から吹き出す。このとき、上下風向板３２ａ、３２ｂの姿勢は下向きに確立されることができる。上下風向板３２ａ、３２ｂは下向きに床面に向かって第１吹出口３１からの気流１２３の吹き出しを誘導する。暖気の気流１２３は第１吹出口３１から下向きに吹き出す。
【００６７】
遠心ファン７３の回転に応じて第２吹出口４２から室温空気は吹き出す。ここでは、ファン筐体３５の姿勢は上下風向板３２ａ、３２ｂよりもやや上向き（上流方向）に設定される。ファンユニット２６のファン筐体３５は、第１吹出口３１よりも高い位置から、上下風向板３２ａ、３２ｂと同様な下向きに室温空気の気流１２２を吹き出す姿勢を確立する。ファンユニット２６の気流１２２は暖気の気流１２３の上方空間に室温空気の層を形成する。第２吹出口４２から吹き出す室温空気の気流１２２は暖気の気流に衝突して暖気の気流１２３の向きおよび動きを制することができる。ファンユニット２６の気流１２２は床面との間に暖気を挟み込むことができる。こうして暖気の上昇は抑制される。室内で望まれる場所に暖気は送り込まれる。在室者Ｍは足下で暖を感じ続けることができる。室温が設定温度より低いものの特定の温度に達することから、室温空気の気流１２２に基づき在室者Ｍが肌寒さを感じることは回避されることができる。室内の温度環境は効率的に整えられる。
【００６８】
こうした空気調和機１１では本体ユニット２５の第１吹出口３１から冷気または暖気の気流１２１、１２３が吹き出される。ファンユニット２６の第２吹出口４２から室温空気の気流１２２が吹き出される。室温空気の気流１２２と冷気または暖気の気流１２１、１２３とは温度差を有する。温度に応じて空気の比重は変化することから、比重の違いに応じて室温空気の気流１２２は冷気や暖気の気流１２１、１２３の向きや動きを制御することができる。冷気や暖気は室内で望まれる場所に送り込まれることができる。こうして室内の温度環境は効率的に整えられることができる。
【００６９】
室内機１２では、ファン筐体３５の背後の空間１０９と室内熱交換器１４の背後の空間１１２とは連続する。両者１０９、１１２は仕切られていない。両者１０９、１１２を仕切る壁は省略される。壁の加工を伴わずに冷媒配管１０８は第１サイドパネル５３ａまたは第２サイドパネル５３ｂの外側に引き出されることができる。冷媒配管１０８の引き出し作業の複雑化は回避されることができる。
【００７０】
室内機１２では、図４から明らかなように、遠心ファン７３の回転軸（水平軸線３６に重なる）は、第１送風ファン２７すなわちクロスフローファンの回転軸４５を含む垂直仮想平面よりも前方に配置されればよい。こうして遠心ファン７３の回転軸がずらされると、ファン筐体３５の変位は簡単に実現されることができる。すなわち、背後に空間を確保しつつも遠心ファンには十分な大きさが確保されることができる。したがって、冷媒配管１０８は確実にファン筐体３５の背後を通過して壁面に沿って室内機１２の片側から引き出されることができる。
【００７１】
また、図２からも明らかなように、ファン筐体３５の前端はフロントパネル２９の面に合わせ込まれる。したがって、ファン筐体３５は室内熱交換器１４に対して相対的に前方に変位するものの、室内機１２では良好な見栄えは確保されることができる。
【００７２】
しかも、室内機１２では、第１サイドパネル５３ａでも第２サイドパネル５３ｂでもファン筐体３５の背後に空間１０９が確保される。冷媒配管１０８は左右どちら側からも引き出されることができる。その結果、室内機１２の据え付け場所の自由度は広がる。
【符号の説明】
【００７３】
１２  空気調和機（室内機）、１４  熱交換器（室内熱交換器）、２７  第１送風ファンすなわちクロスフローファン、２９  フロントパネル、３５  補助筐体（ファン筐体）、４２  補助吹出口（第２吹出口）、４５  回転軸、５３ａ  第１サイドパネル、５３ｂ  第２サイドパネル、５４  壁体、５４ａ  外壁面、５４ｂ  内壁面、７３  遠心ファン、１０４  フレーム（メインフレーム）、１０８  冷媒配管、１０９  空間、１１１  外壁。
【図１】
2014163558.tif 000003
【図２】
2014163558.tif 000004
【図３】
2014163558.tif 000005
【図４】
2014163558.tif 000006
【図５】
2014163558.tif 000007
【図６】
2014163558.tif 000008
【図７】
2014163558.tif 000009
【図８】
2014163558.tif 000010
【図９】
2014163558.tif 000011
【図１０】
2014163558.tif 000012
【図１１】
2014163558.tif 000013
【図１２】
2014163558.tif 000014
【図１３】
2014163558.tif 000015
【図１４】
2014163558.tif 000016
【図１５】
2014163558.tif 000017